(57)【要約】【課題】使用時には強固なスタンド容器として使用でき、不使用時には嵩張らずにスペースを取らないで保管できる組み立て式容器を提供する。【解決手段】組み立て式容器１は、可撓性を有し、上面視で略Ｕ字形状となる３つのＵ字状板材１ａ，１ｂ，１ｃを備え、３つのＵ字状板材１ａ，１ｂ，１ｃは同形状を有し、その側面の開口を互いに向き合わせた状態で同心円状に同間隔で配置し、３つのＵ字状板材１ａ，１ｂ，１ｃを中心方向へ押し込むことで組み立てられる。この構成により、組み立て式容器１は、使用時には強固なスタンド容器として使用でき、不使用時には嵩張らずにスペースを取らないで保管できる。【選択図】図１
2019182547.tif 000002
【特許請求の範囲】
【請求項１】
可撓性を有し、上面視で略Ｕ字形状の３つのＵ字状板材を備え、
前記３つのＵ字状板材は同形状を有し、その側面の開口を互いに向き合わせた状態で同心円状に同間隔で配置し、当該３つのＵ字状板材を中心方向へ押し込むことで組み立てられる、ことを特徴とする組み立て式容器。
【請求項２】
前記３枚のＵ字状板材は、その高さは同じであり、且つそれぞれ大きさが板厚分だけ違うように構成されている、ことを特徴とする請求項１記載の組み立て式容器。
【請求項３】
前記Ｕ字状板材の側面に形成された開口の一辺は、隣接するＵ字状板材の外側面に係止され、
前記Ｕ字状板材の側面に形成された開口の他の一辺は、隣接する他のＵ字状板材の内側面に係止されることで組み立てられ、その結果、４つの仕切り空間が形成される、ことを特徴とする請求項１又は２記載の組み立て式容器。
【請求項４】
前記Ｕ字状板材には、上面視でくの字形となるよう内方に向かって折曲された折曲辺が形成され、
前記Ｕ字状板材の側面に形成された開口の一辺は、隣接するＵ字状板材の外側面に係止され、
前記Ｕ字状板材の側面に形成された開口の前記折曲辺側の他の一辺は、隣接する他のＵ字状板材の折曲辺に内側から係止されることで組み立てられ、その結果、４つの仕切り空間が形成される、ことを特徴とする請求項１又は２記載の組み立て式容器。
【請求項５】
前記Ｕ字状板材は、３つの矩形面が連続一体して構成されることで上面視で略Ｕ字形状を有し、
端側の１の矩形面には、上面視でくの字形となるよう内方に向かって折曲された折曲辺が形成され、
前記Ｕ字状板材の側面に形成された開口の一辺は、隣接するＵ字状板材の外側面に係止され、
前記Ｕ字状板材の側面に形成された開口の前記折曲辺側の他の一辺は、隣接する他のＵ字状板材の折曲辺に内側から係止されることで組み立てられ、その結果、４つの仕切り空間が形成される、ことを特徴とする請求項１又は２記載の組み立て式容器。
【請求項６】
前記Ｕ字状板材は、３つの矩形面が連続一体して構成されることで上面視で略Ｕ字形状を有し、
端側の１の矩形面には、段差部が形成され、
前記Ｕ字状板材の側面に形成された開口の一辺は、隣接するＵ字状板材の外側面に係止され、
前記Ｕ字状板材の側面に形成された開口の前記段差部側の他の一辺は、隣接する他のＵ字状板材の段差部に内側から係止されることで組み立てられ、その結果、４つの仕切り空間が形成される、ことを特徴とする請求項１又は２記載の組み立て式容器。
【請求項７】
前記４つの仕切り空間は、中心に形成された１の仕切り空間と、当該仕切り空間の外側に同心円状に形成された同形状の３つの仕切り空間とからなり、
前記中心に形成された１の仕切り空間は、上面視で三角形状を有する、ことを特徴とする請求項３乃至６のいずれか一項に記載の組み立て式容器。
【請求項８】
前記組み立て式容器は、さらに、その底部に前記Ｕ字状板材の底部と脱着可能な底蓋を備える、ことを特徴とする請求項１乃至７のいずれか一項に記載の組み立て式容器。
【発明の詳細な説明】
【技術分野】
【０００１】
本発明は、ペンスタンドや小物入れ等に用いることができる組み立て式容器に関する。
【背景技術】
【０００２】
従来のペンスタンドや小物入れ等の容器は有底円筒形状や有底四角筒形状であり、また内側に仕切り板がある形状が一般的である。
【０００３】
ペンスタンドの形状は様々であり、例えば、上端面が開放する有底円筒状の容器本体と、この容器本体の上端面に着脱自在に被さる蓋体とからなり、メモ用紙を容器本体内部に収納しても嵩張らない構造を有するメモ用紙入りペン立てが開示されている（例えば、特許文献１参照）。また、半円筒形状のマグネット式ペンスタンドなども開示されている（例えば、特許文献２参照）。
【先行技術文献】
【特許文献】
【０００４】
【特許文献１】特開２００７−７９２４号公報
【特許文献２】特開平８−１４２５７５号公報
【発明の概要】
【発明が解決しようとする課題】
【０００５】
しかしながら、従来のペン立てなどの容器は、一度机上で使い始めると基本的には廃棄するまでそのままの形状で保管する必要があり、使用しないときは保管スペースを取り邪魔になるという問題がある。また、スタッキングが効かないために輸送効率が悪いという問題もある。
【０００６】
本発明は上記課題に鑑みてなされたものであり、筆記具や小物などを入れるための容器であって、使用時にはスタンド容器として使用でき、不使用時には嵩張らずにスペースを取らないで保管できる組み立て式容器を提供することを目的とする。
【課題を解決するための手段】
【０００７】
上記目的を達成するために本発明に係る組み立て式容器は、可撓性を有し、上面視で略Ｕ字形状の３つのＵ字状板材を備え、前記３つのＵ字状板材は同形状を有し、その側面の開口を互いに向き合わせた状態で同心円状に同間隔で配置し、当該３つのＵ字状板材を中心方向へ押し込むことで組み立てられることを特徴とする。
【０００８】
この組み立て式容器において、前記３枚のＵ字状板材は、その高さは同じであり、且つそれぞれ大きさが板厚分だけ違うように構成されていることが好ましい。
【０００９】
この組み立て式容器において、前記Ｕ字状板材の側面に形成された開口の一辺は、隣接するＵ字状板材の外側面に係止され、前記Ｕ字状板材の側面に形成された開口の他の一辺は、隣接する他のＵ字状板材の内側面に係止されることで組み立てられ、その結果、４つの仕切り空間が形成されることが好ましい。
【００１０】
この組み立て式容器において、前記Ｕ字状板材には、上面視でくの字形となるよう内方に向かって折曲された折曲辺が形成され、前記Ｕ字状板材の側面に形成された開口の一辺は、隣接するＵ字状板材の外側面に係止され、前記Ｕ字状板材の側面に形成された開口の前記折曲辺側の他の一辺は、隣接する他のＵ字状板材の折曲辺に内側から係止されることで組み立てられ、その結果、４つの仕切り空間が形成されることが好ましい。
【００１１】
この組み立て式容器において、前記Ｕ字状板材は、３つの矩形面が連続一体して構成されることで上面視で略Ｕ字形状を有し、端側の１の矩形面には、上面視でくの字形となるよう内方に向かって折曲された折曲辺が形成され、前記Ｕ字状板材の側面に形成された開口の一辺は、隣接するＵ字状板材の外側面に係止され、前記Ｕ字状板材の側面に形成された開口の前記折曲辺側の他の一辺は、隣接する他のＵ字状板材の折曲辺に内側から係止されることで組み立てられ、その結果、４つの仕切り空間が形成されることが好ましい。
【００１２】
この組み立て式容器において、前記Ｕ字状板材は、３つの矩形面が連続一体して構成されることで上面視で略Ｕ字形状を有し、端側の１の矩形面には、段差部が形成され、前記Ｕ字状板材の側面に形成された開口の一辺は、隣接するＵ字状板材の外側面に係止され、前記Ｕ字状板材の側面に形成された開口の前記段差部側の他の一辺は、隣接する他のＵ字状板材の段差部に内側から係止されることで組み立てられ、その結果、４つの仕切り空間が形成されることが好ましい。
【００１３】
この組み立て式容器において、前記４つの仕切り空間は、中心に形成された１の仕切り空間と、当該仕切り空間の外側に同心円状に形成された同形状の３つの仕切り空間とからなり、前記中心に形成された１の仕切り空間は、上面視で三角形状を有することが好ましい。
【００１４】
この組み立て式容器において、前記組み立て式容器は、さらに、その底部に前記Ｕ字状板材の底部と脱着可能な底蓋を備えることが好ましい。
【発明の効果】
【００１５】
本発明に係る組み立て式容器は、可撓性を有し、上面視で略Ｕ字形状となる３つのＵ字状板材を備え、３つのＵ字状板材は同形状を有する。そして、その側面の開口を互いに向き合わせた状態で同心円状に同間隔で配置し、当該３つのＵ字状板材を中心方向へ押し込むことで組み立てられる。この構成により、本発明に係る組み立て式容器では、使用時にはスタンド容器として使用でき、不使用時には嵩張らずにスペースを取らないで保管できる。
【図面の簡単な説明】
【００１６】
【図１】（ａ）本発明の実施の形態に係る組み立て式容器を組み立てた状態の斜視図、（ｂ）同上組み立て式容器を構成するＵ字状板材の斜視図である。
【図２】同上組み立て式容器の組立方法を説明するための斜視図である。
【図３】（ａ）上記実施の形態の変形例１に係る組み立て式容器の斜視図、（ｂ）同上組み立て式容器を構成するＵ字状板材の斜視図である。
【図４】（ａ）上記実施の形態の変形例２に係る組み立て式容器の斜視図、（ｂ）同上組み立て式容器を構成するＵ字状板材の斜視図、（ｃ）同上Ｕ字状板材を重ねた状態の斜視図である。
【図５】同上組み立て式容器の組立方法を説明するための斜視図である。
【図６】同上組み立て式容器の使用状態の一例を示す斜視図である。
【図７】上記実施の形態の変形例３に係る組み立て式容器の斜視図である。
【図８】上記実施の形態の変形例４に係る組み立て式容器の使用状態及び収納状態を説明するための斜視図である。
【図９】同上組み立て式容器の他の使用状態を示す斜視図である。
【発明を実施するための形態】
【００１７】
以下、本発明に係る組み立て式容器の実施の形態を図面を参照しながら説明する。この組み立て式容器は、いわゆる文房具であり、鉛筆やボールペンなどの筆記具や小物を収納するための容器である。
【００１８】
図１に示すように、組み立て式容器１は、可撓性を有し、上面視で略Ｕ字形状となる３つのＵ字状板材１ａ,１ｂ,１ｃを備え、３つのＵ字状板材１ａ,１ｂ,１ｃは、同形状を有している。なお、Ｕ字状板材１ａ,１ｂ,１ｃは、例えば鉄（スチール）やアルミニウムなどの金属製や強化樹脂製であり、可撓性を有し、或る程度の弾力性を有する材料を用いればよい。本図において、組み立て式容器１は、さらに、その底部においてＵ字状板材１ａ,１ｂ,１ｃの底部と脱着可能な底蓋２を備えている。
【００１９】
Ｕ字状板材１ａ,１ｂ,１ｃは、図１（ｂ）に示すような円弧部を有することで、上面視で略Ｕ字形状となる。また、Ｕ字状板材１ａの側面に形成された開口３の一辺１ｘは、隣接するＵ字状板材１ｃの外側面に係止され、Ｕ字状板材１ａの側面に形成された開口３の他の一辺１ｙは、隣接する他のＵ字状板材１ｂの内側面に係止されることで組み立てられ、その結果、４つの仕切り空間１ｄ〜１ｇが形成されている。
【００２０】
４つの仕切り空間１ｄ〜１ｇは、中心に形成された１の仕切り空間１ｄと、当該仕切り空間の外側に同心円状に形成された３つの仕切り空間１ｅ〜１ｇとからなり、中心に形成された１の仕切り空間１ｄは、上面視で三角形状となっている。
【００２１】
次に、本実施の形態に係る組み立て式容器１の組立方法に関して図２を参照しながら説明する。組み立ての際には、３枚のＵ字状板材１ａ〜１ｃを、その側面の開口３を互いに向き合わせた状態で同心円状に同間隔で配置（位相が１２０度ずつ異なる配置）し、３つのＵ字状板材１ａ〜１ｃを矢印に示す中心方向へ押し込むことで容易に合体として組み立てられる。この際、３つのＵ字状板材１ａ〜１ｃは可撓性を有し、Ｕ字状板材１ａ〜１ｃ同士は、接する部分で互いに異なる方向に強く押圧し合う。このため、組み立て式容器１は、横方向への力でバラバラに分解することは困難であり、強度が高く、耐久性に富んでいる。そして、上述のように、組み立て式容器１は、スタンド形の容器となり、内部に筆記具などを収納するための４つの仕切り空間１ｄ〜１ｇを形成する。
【００２２】
一方、組み立て式容器１を分解収納する際には、３枚のＵ字状板材１ａ〜１ｃのうちのいずれか１つを上方向（又は下方向）に引き抜くことで極めて容易に分解できるようになっている。そして、３枚のＵ字状板材１ａ〜１ｃは、その高さは同じであり、且つそれぞれ大きさが板厚分だけ違うように構成されているために、分解後には３枚のＵ字状板材１ａ〜１ｃを一体に重ねることができる（例えば図４（ｃ）など参照のこと）。その結果、底蓋２と一緒にして机の中や棚などの横板にその開口３を挟み込むことができ、不使用時においては非常のコンパクトに管理・収納でき、無駄な保管スペースを要することがない。
【００２３】
以上の説明のように、本実施の形態に係る組み立て式容器１は、可撓性を有し、上面視で略Ｕ字形状となる３つのＵ字状板材１ａ,１ｂ,１ｃを備える。３つのＵ字状板材１ａ,１ｂ,１ｃは同形状を有し、その側面の開口３を互いに向き合わせた状態で同心円状に同間隔で配置し、３つのＵ字状板材１ａ,１ｂ,１ｃを中心方向へ押し込むことで組み立てられる。この構成により、組み立て式容器１は、使用時には簡単に組み立てることができ、ペン立てなど筆記具や小物を入れるための強度の高いスタンド容器として使用できる。一方、不使用時には簡単に分解し、Ｕ字状板材１ａ〜１ｃを同方向に重ねてコンパクト化して机の中に収容したり、棚の横板などに係止することでスペースを取らないで保管できる。また、スタッキングができるために輸送時の輸送効率も良い。さらに、スチールなど比較的低廉な材料で製造でき、従来のペン立てが抱えている様々な問題点を解決できる。
【００２４】
（変形例１）
本実施の形態に係る組み立て式容器１の変形例１について図３を参照して説明する。なお、以下上記実施の形態の組み立て式容器１と同様な構成には同じ番号を付してその詳細な説明を省略する。本変形例１において、組み立て式容器１のＵ字状板材１ａ〜１ｃには、上面視でくの字形となるよう内方に向かって折曲された折曲辺１ｈが形成されている。そして、Ｕ字状板材１ａの側面に形成された開口３の一辺１ｘは、隣接するＵ字状板材１ｃの外側面に係止され、Ｕ字状板材１ａの側面に形成された開口３の折曲辺１ｈ側の他の一辺１ｙは、隣接する他のＵ字状板材１ｂの折曲辺１ｈに内側から係止される。その結果、４つの仕切り空間１ｄ〜１ｇが形成されている。この構成により、上記実施の形態１に係る組み立て式容器１と同様に使用時には組み立ててペン立てなどとして使用でき、使用しないときは分解し、重ねて机の中や棚の横板などにコンパクトに収納することで場所を効率的に使用できる。また、組み立て式容器１の組立時の強度がより強固なものとなる。
【００２５】
（変形例２）
本実施の形態に係る組み立て式容器１の変形例２について図４〜図６を参照して説明する。本変形例２において、組み立て式容器１のＵ字状板材１ａ〜１ｃには、３つの矩形面１ｉ〜１ｋが連続一体して構成されることで上面視で略Ｕ字形状を有し、端側の１の矩形面１ｉには、上面視でくの字形となるよう内方に向かって折曲された折曲辺１lが形成される。この結果、図４に示すように各Ｕ字状板材１ａ〜１ｃは４面の角体で形成されて、上面視で略Ｕ字形状となる。
【００２６】
Ｕ字状板材１ａの側面に形成された開口３の一辺１ｘは、隣接するＵ字状板材１ｃの外側面に係止され、Ｕ字状板材１ａの側面に形成された開口３の折曲辺１l側の他の一辺１ｙは、隣接する他のＵ字状板材１ｂの折曲辺１lに内側から係止されることで組み立てられ、その結果、４つの仕切り空間１ｄ〜１ｇが形成される。
【００２７】
次に、本変形例２に係る組み立て式容器１の組立方法に関して図５を参照しながら説明する。組み立ての際には、３枚のＵ字状板材１ａ〜１ｃを、その開口３を向かい合わせとなるように突き合せ、中心方向（図５に示す矢印方向）へ押し込むことで容易に合体形成される。この組み立て式容器１は、横方向への力でバラバラに分解することは非常に困難となる強度を有している。図６は、本変形例２に係る組み立て式容器１の使用状態の一例を示す。この構成により、上記実施の形態１に係る組み立て式容器１と同様の効果を奏すると共に、組み立て式容器１の組立時の強度がより強固なものとなる。
【００２８】
（変形例３）
本実施の形態に係る組み立て式容器１の変形例３について図７を参照して説明する。本変形例２において、組み立て式容器１のＵ字状板材１ａ〜１ｃには、３つの矩形面１ｍ〜１оが連続一体して構成されることで上面視で略Ｕ字形状を有し、端側の１の矩形面１ｍには、段差部１ｐが形成される。Ｕ字状板材１ａの側面に形成された開口３の一辺１ｘは、隣接するＵ字状板材１ｃの外側面に係止され、Ｕ字状板材１ａの側面に形成された開口３の段差部１ｐ側の他の一辺１ｙは、隣接する他のＵ字状板材１ｂの段差部１ｐに内側から係止されることで組み立てられ、その結果、４つの仕切り空間１ｄ〜１ｇが形成される。この構成により、上記実施の形態１に係る組み立て式容器１と同様の効果を奏すると共に、組み立て式容器１の組立時の強度がより強固なものとなる。
【００２９】
（変形例４）
本実施の形態に係る組み立て式容器１の変形例４について図８を参照して説明する。本変形例４において、組み立て式容器１は、図８に示すように、雨の日はげた箱の外に傘立てとして使用するが、晴れている日はげた箱の中の横板にはめ込んで収納できる。その結果、下駄箱の周りがすっきりする。
【００３０】
なお、本発明は、上記実施の形態の構成に限られず、発明の趣旨を変更しない範囲で種々の変形が可能である。例えば、組み立て式容器１は、サイズを大きくすれば図９に示すような雑誌入れや新聞立てとして使用することも可能で、文房具以外の多様な用途に応用することができる。
【符号の説明】
【００３１】
１  組み立て式容器
１ａ，１ｂ，１ｃ  Ｕ字状板材
１ｄ，１ｅ，１ｆ，１ｇ  仕切り空間
１ｈ，１l  折曲辺
１ｉ，１ｊ，１ｋ，１ｍ，１ｎ，１о  矩形面
１ｐ  段差部
１ｘ，１ｙ  一辺
２  底蓋
３  開口
【図１】
2019182547.tif 000003
【図２】
2019182547.tif 000004
【図３】
2019182547.tif 000005
【図４】
2019182547.tif 000006
【図５】
2019182547.tif 000007
【図６】
2019182547.tif 000008
【図７】
2019182547.tif 000009
【図８】
2019182547.tif 000010
【図９】
2019182547.tif 000011